(57)【要約】【課題】複数の双方向サービスの視聴者に共通の参加体験を提供すること。【解決手段】第１入力情報取得部４０１は、第１配信システム３における入力情報を取得する。第２入力情報取得部４０２は、第２配信システム４における入力情報を取得する。入力反映部４０９は、第１条件を満たす第１入力情報に対応付けられた内容と、第１条件とは異なる第２条件を満たす第２入力情報とに対応付けられた内容とを反映させる。その際に、入力反映部４０９は、取得された第１入力情報に対応付けられた内容を反映してコンテンツの第１部分を変化させる。入力反映部４０９は、取得された第２入力情報に対応付けられた内容を反映して第１部分とは異なる第２部分を変化させる。コンテンツ送信部４０８は、この入力反映部４０９により内容が反映されたコンテンツを配信する。【選択図】図５
2020048071.tif 000002
【特許請求の範囲】
【請求項１】
コンテンツの視聴者が入力した入力情報に対応付けられた内容を当該コンテンツに反映して配信する第１システム及び第２システムのうちの前記第１システムにおける第１入力情報と、前記第２システムにおける第２入力情報とを取得する入力取得部と、
取得された前記第１入力情報に対応付けられた内容及び取得された前記第２入力情報に対応付けられた内容をいずれも前記コンテンツに反映させる反映部と、
前記反映部により内容が反映されたコンテンツを前記第１及び第２システムに送信する送信部と
を備える情報処理装置。
【請求項２】
前記反映部は、第１条件を満たす前記第１入力情報に対応付けられた内容と、前記第１条件とは異なる第２条件を満たす前記第２入力情報とに対応付けられた内容とを反映させる
請求項１に記載の情報処理装置。
【請求項３】
前記第１及び第２システムの少なくとも一方は、前記コンテンツの反映に用いられる入力情報を絞り込む絞込機能を有し、
前記反映部は、前記絞込機能による絞り込みで残る場合に満たされる条件を前記第１条件又は前記第２条件として用いる
請求項２に記載の情報処理装置。
【請求項４】
前記反映部は、前記第１条件を満たす前記第１入力情報が示す量と前記第２条件を満たす前記第２入力情報が示す量との差分が閾値以上である場合、当該差分が小さくなるように前記第１条件又は前記第２条件を変更する
請求項２又は３に記載の情報処理装置。
【請求項５】
前記反映部は、前記第１条件を満たす前記第１入力情報と、当該第１条件に対応付けられた条件を前記第２条件として満たす前記第２入力情報とが取得された場合、前記コンテンツのうち当該第１入力情報に対応付けられた内容を反映させる部分及び当該第２入力情報に対応付けられた内容を反映させる部分を共通にする
請求項２から４のいずれか１項に記載の情報処理装置。
【請求項６】
前記反映部は、取得された前記第１入力情報に対応付けられた内容を反映して前記コンテンツの第１部分を変化させ、取得された前記第２入力情報に対応付けられた内容を反映して前記第１部分とは異なる第２部分を変化させる
請求項１から４のいずれか１項に記載の情報処理装置。
【請求項７】
前記第１及び第２システムの視聴者の属性を示す属性情報を取得する属性取得部を備え、
前記反映部は、前記第１入力情報のうち、第１属性を示す属性情報が取得された視聴者により入力されたものに対応付けられた内容を反映させ、前記第２入力情報のうち、前記第１属性とは異なる第２属性を示す属性情報が取得された視聴者により入力されたものに対応付けられた内容を反映させる
請求項１から６のいずれか１項に記載の情報処理装置。
【請求項８】
前記第１及び第２入力情報は、互いに異なる言語で入力される文章を示す情報であり、
前記反映部は、前記第１入力情報に対応付けられた内容として、当該第１入力情報を前記第２入力情報の言語に翻訳した文章を反映させる
請求項１から７のいずれか１項に記載の情報処理装置。
【請求項９】
前記反映部は、前記第１入力情報に対応付けられた内容として、当該第１入力情報を入力した視聴者によるＳＮＳ（Social Networking Service）の投稿を反映させ、前記第２入力情報に対応付けられた内容として、当該第２入力情報を入力した視聴者による前記ＳＮＳとは別のＳＮＳの投稿を反映させる
請求項１から８のいずれか１項に記載の情報処理装置。
【請求項１０】
請求項１から９のいずれか１項に記載の情報処理装置と、
前記第１システムにおいてコンテンツを配信する第１配信装置であって、当該コンテンツの視聴者が入力した入力情報に対応付けられた内容を当該コンテンツに反映して配信する第１配信装置と
を備える情報処理システム。
【発明の詳細な説明】
【技術分野】
【０００１】
本発明は、双方向サービスに用いられる技術に関する。
【背景技術】
【０００２】
双方向サービスに用いられる技術として、特許文献１には、再生する動画の動画再生時間に対応するコメント付与時間が対応付けられたコメントをコメント情報から読み出し、読み出したコメントを動画とともに表示する技術が開示されている。
【先行技術文献】
【特許文献】
【０００３】
【特許文献１】特開２０１８−９３４９８号公報
【発明の概要】
【発明が解決しようとする課題】
【０００４】
配信されたコンテンツの視聴者が入力したコメントをコンテンツに重ねて表示するというように双方向に情報が発信される双方向サービス（インタラクティブサービスとも呼ばれる）においては、視聴者がコンテンツ配信に参加しているような体験（参加体験）をすることができる。そのような双方向サービスを複数活用して共通のコンテンツを配信する場合、異なる双方向サービスの視聴者同士で参加体験を共有できることが望ましい。
そこで、本発明は、複数の双方向サービスの視聴者に共通の参加体験を提供することを目的とする。
【課題を解決するための手段】
【０００５】
上記目的を達成するために、本発明は、コンテンツの視聴者が入力した入力情報に対応付けられた内容を当該コンテンツに反映して配信する第１システム及び第２システムのうちの前記第１システムにおける第１入力情報と、前記第２システムにおける第２入力情報とを取得する入力取得部と、取得された前記第１入力情報に対応付けられた内容及び取得された前記第２入力情報に対応付けられた内容をいずれも前記コンテンツに反映させる反映部と、前記反映部により内容が反映されたコンテンツを前記第１及び第２システムに送信する送信部とを備える情報処理装置を提供する。
【０００６】
また、前記反映部は、第１条件を満たす前記第１入力情報に対応付けられた内容と、前記第１条件とは異なる第２条件を満たす前記第２入力情報とに対応付けられた内容とを反映させてもよい。
【０００７】
また、前記第１及び第２システムの少なくとも一方は、前記コンテンツの反映に用いられる入力情報を絞り込む絞込機能を有し、前記反映部は、前記絞込機能による絞り込みで残る場合に満たされる条件を前記第１条件又は前記第２条件として用いてもよい。
【０００８】
また、前記反映部は、前記第１条件を満たす前記第１入力情報が示す量と前記第２条件を満たす前記第２入力情報が示す量との差分が閾値以上である場合、当該差分が小さくなるように前記第１条件又は前記第２条件を変更してもよい。
【０００９】
また、前記反映部は、前記第１条件を満たす前記第１入力情報と、当該第１条件に対応付けられた条件を前記第２条件として満たす前記第２入力情報とが取得された場合、前記コンテンツのうち当該第１入力情報に対応付けられた内容を反映させる部分及び当該第２入力情報に対応付けられた内容を反映させる部分を共通にしてもよい。
【００１０】
また、前記反映部は、取得された前記第１入力情報に対応付けられた内容を反映して前記コンテンツの第１部分を変化させ、取得された前記第２入力情報に対応付けられた内容を反映して前記第１部分とは異なる第２部分を変化させてもよい。
【００１１】
また、前記第１及び第２システムの視聴者の属性を示す属性情報を取得する属性取得部を備え、前記反映部は、前記第１入力情報のうち、第１属性を示す属性情報が取得された視聴者により入力されたものに対応付けられた内容を反映させ、前記第２入力情報のうち、前記第１属性とは異なる第２属性を示す属性情報が取得された視聴者により入力されたものに対応付けられた内容を反映させてもよい。
【００１２】
また、前記第１及び第２入力情報は、互いに異なる言語で入力される文章を示す情報であり、前記反映部は、前記第１入力情報に対応付けられた内容として、当該第１入力情報を前記第２入力情報の言語に翻訳した文章を反映させてもよい。
【００１３】
また、前記反映部は、前記第１入力情報に対応付けられた内容として、当該第１入力情報を入力した視聴者によるＳＮＳ（Social Networking Service）の投稿を反映させ、前記第２入力情報に対応付けられた内容として、当該第２入力情報を入力した視聴者による前記ＳＮＳとは別のＳＮＳの投稿を反映させてもよい。
【００１４】
また、本発明は、上述した情報処理装置と、前記第１システムにおいてコンテンツを配信する第１配信装置であって、当該コンテンツの視聴者が入力した入力情報に対応付けられた内容を当該コンテンツに反映して配信する第１配信装置とを備える情報処理システムを提供する。
【発明の効果】
【００１５】
本発明によれば、複数の双方向サービスの視聴者に共通の参加体験を提供することができる。
【図面の簡単な説明】
【００１６】
【図１】実施例に係るコンテンツ配信システムの全体構成の一例を表す図
【図２】配信装置のハードウェア構成の一例を表す図
【図３】ユーザ端末のハードウェア構成の一例を表す図
【図４】コンテンツ提供装置のハードウェア構成の一例を表す図
【図５】各装置が実現する機能構成を表す図
【図６】第１配信システムにおいて出力されたコンテンツの一例を表す図
【図７】第２配信システムにおいて出力されたコンテンツの一例を表す図
【図８】文字列リストの一例を表す図
【図９】第１反映画像及び第２反映画像の一例を表す図
【図１０】出力されたコンテンツの一例を表す図
【図１１】配信処理における各装置の動作手順の一例を表す図
【図１２】表示されるコンテンツの一例を表す図
【図１３】表示される操作ボタンの一例を表す図
【図１４】変形例において実現される機能構成の一例を表す図
【図１５】ＮＧワードリストの一例を表す図
【図１６】変形例で表示される操作ボタンの一例を表す図
【図１７】変形例において実現される機能構成の一例を表す図
【図１８】変形例において表示されるコンテンツの一例を表す図
【図１９】変形例において表示されるコンテンツの一例を表す図
【発明を実施するための形態】
【００１７】
［１］実施例
図１は実施例に係るコンテンツ配信システム１の全体構成の一例を表す。コンテンツ配信システム１は、ユーザにコンテンツを配信するシステムである。コンテンツとは、ユーザが視聴することができる情報のことであり、例えば動画、静止画像、音楽及びラジオ番組等のことである。コンテンツ配信システム１は、本実施例では、主に動画をコンテンツとして配信する。
【００１８】
コンテンツ配信システム１は、ネットワーク２と、第１配信装置１０と、第２配信装置２０と、複数のユーザ端末３０と、コンテンツ提供装置４０とを備える。ネットワーク２は、移動体通信網及びインターネット等を含む通信システムであり、自システムにアクセスする装置同士のデータのやり取りを中継する。ネットワーク２には、コンテンツ配信システム１が備える各装置が有線通信又は無線通信によりアクセスしている。
【００１９】
第１配信装置１０及び第２配信装置２０は、コンテンツを配信する装置である。以下では、第１配信装置１０及び第２配信装置２０を特に区別しない場合は単に「配信装置」という。配信装置は、ただコンテンツを配信するだけではなく、配信したコンテンツの視聴者が入力した入力情報に対応付けられた内容をそのコンテンツに反映して配信する。配信装置は、本実施例では、配信したコンテンツを視聴したユーザ（「視聴者」とも言う）が入力したコメントを示す文字列（「入力情報に対応付けられた内容」の一例）をコンテンツに反映して配信する。
【００２０】
複数のユーザ端末３０は、ユーザが利用する端末であり、各配信装置が配信するコンテンツを出力する。ユーザ端末３０は、本実施例では、コンテンツとして配信される動画を表示し、その動画に含まれた音を放音する。第１配信装置１０と、ネットワーク２と、第１配信装置１０が配信するコンテンツを出力する複数のユーザ端末３０とは、第１配信システム３を形成する。第１配信システム３は本発明の「第１システム」の一例である。
【００２１】
第２配信装置２０と、ネットワーク２と、第２配信装置２０が配信するコンテンツを出力する複数のユーザ端末３０とは、第２配信システム４を形成する。第２配信システム４は本発明の「第２システム」の一例である。以下では、第１配信システム３及び第２配信システム４を特に区別しない場合は単に「配信システム」という。各配信システムは、各々のシステムにおいて登録されたユーザにコンテンツを配信する。
【００２２】
本実施例では、第１配信システム３は日本のコンテンツ配信事業者によって運用されており、第２配信システム４は中国のコンテンツ配信事業者によって運用されているものとする。そのため、第１配信システム３においては主に日本人のユーザが登録されており、第２配信システム４においては主に中国人のユーザが登録されている。従って、第１配信システム３が備える複数のユーザ端末３０においては主に日本語を用いた入出力が行われ、第２配信システム４が備える複数のユーザ端末３０においては主に中国語を用いた入出力が行われる。
【００２３】
コンテンツ提供装置４０は、第１配信システム３及び第２配信システム４に対して共通のコンテンツを提供する装置である。コンテンツ提供装置４０は、本実施例では、モーションキャプチャの技術で取り込んだ人の動きのとおりにアニメーションのキャラクタを動かした動画をコンテンツとして提供する。また、コンテンツ提供装置４０は、日本語及び中国語の両方を含むコンテンツを提供する。
【００２４】
図２は配信装置のハードウェア構成の一例を表す。配信装置（第１配信装置１０及び第２配信装置２０）は、物理的には、プロセッサ１１と、メモリ１２と、ストレージ１３と、通信装置１４と、バス１５などを含むコンピュータ装置として構成されてもよい。なお、以下の説明では、「装置」という文言は、回路、デバイス、ユニットなどに読み替えることができる。
【００２５】
また、各装置は、１つ又は複数含まれていてもよいし、一部の装置が含まれていなくてもよい。プロセッサ１１は、例えば、オペレーティングシステムを動作させてコンピュータ全体を制御する。プロセッサ１１は、周辺装置とのインターフェース、制御装置、演算装置、レジスタなどを含む中央処理装置（ＣＰＵ：Central Processing Unit）によって構成されてもよい。
【００２６】
例えば、ベースバンド信号処理部等は、プロセッサ１１によって実現されてもよい。また、プロセッサ１１は、プログラム（プログラムコード）、ソフトウェアモジュール、データなどを、ストレージ１３及び通信装置１４の少なくとも一方からメモリ１２に読み出し、これらに従って各種の処理を実行する。プログラムとしては、上述の実施の形態において説明した動作の少なくとも一部をコンピュータに実行させるプログラムが用いられる。
【００２７】
上述の各種処理は、１つのプロセッサ１１によって実行される旨を説明してきたが、２以上のプロセッサ１１により同時又は逐次に実行されてもよい。プロセッサ１１は、１以上のチップによって実装されてもよい。なお、プログラムは、電気通信回線を介してネットワークから送信されてもよい。メモリ１２は、コンピュータ読み取り可能な記録媒体である。
【００２８】
メモリ１２は、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）、ＲＡＭ（Random Access Memory）などの少なくとも１つによって構成されてもよい。メモリ１２は、レジスタ、キャッシュ、メインメモリ（主記憶装置）などと呼ばれてもよい。メモリ１２は、本開示の一実施の形態に係る無線通信方法を実施するために実行可能なプログラム（プログラムコード）、ソフトウェアモジュールなどを保存することができる。
【００２９】
ストレージ１３は、コンピュータ読み取り可能な記録媒体であり、例えば、ＣＤ−ＲＯＭ（Compact Disc ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つによって構成されてもよい。
【００３０】
ストレージ１３は、補助記憶装置と呼ばれてもよい。上述の記憶媒体は、例えば、メモリ１２及びストレージ１３の少なくとも一方を含むデータベース、サーバその他の適切な媒体であってもよい。通信装置１４は、有線ネットワーク及び無線ネットワークの少なくとも一方を介してコンピュータ間の通信を行うためのハードウェア（送受信デバイス）である。
【００３１】
通信装置１４は、例えばネットワークデバイス、ネットワークコントローラ、ネットワークカード、通信モジュールなどともいう。通信装置１４は、例えば周波数分割複信（ＦＤＤ：Frequency Division Duplex）及び時分割複信（ＴＤＤ：Time Division Duplex）の少なくとも一方を実現するために、高周波スイッチ、デュプレクサ、フィルタ、周波数シンセサイザなどを含んで構成されてもよい。
【００３２】
例えば、上述の送受信アンテナ、アンプ部、送受信部、伝送路インターフェースなどは、通信装置１４によって実現されてもよい。送受信部は、送信部と受信部とで、物理的に、または論理的に分離された実装がなされてもよい。また、プロセッサ１１、メモリ１２などの各装置は、情報を通信するためのバス１５によって接続される。バス１５は、単一のバスを用いて構成されてもよいし、装置間毎に異なるバスを用いて構成されてもよい。
【００３３】
図３はユーザ端末３０のハードウェア構成の一例を表す。ユーザ端末３０は、物理的には、プロセッサ３１と、メモリ３２と、ストレージ３３と、通信装置３４と、入力装置３５と、出力装置３６と、バス３７などを含むコンピュータ装置として構成されてもよい。これらのうち図２に同名のハードウェアが表されているものは、性能及び仕様等の違いはあるがそれらと同種のハードウェアである。
【００３４】
入力装置３５は、外部からの入力を受け付ける入力デバイス（例えばキーボード、マウス及びマイクロフォン等）である。出力装置３６は、外部への出力を実施する出力デバイス（例えばディスプレイ、スピーカ及びＬＥＤ（Light Emitting Diode）ランプ等）である。なお、入力装置３５及び出力装置３６は、一体となった構成（例えばディスプレイ及びタッチパネルが一体となったタッチスクリーン）であってもよい。
【００３５】
図４はコンテンツ提供装置４０のハードウェア構成の一例を表す。コンテンツ提供装置４０は、物理的には、プロセッサ４１と、メモリ４２と、ストレージ４３と、通信装置４４と、入力装置４５と、出力装置４６と、バス４７などを含むコンピュータ装置として構成されてもよい。コンテンツ提供装置４０は本発明の「情報処理装置」の一例である。これらのうち図２又は図３に同名のハードウェアが表されているものは、入力装置４５を除き、性能及び仕様等の違いはあるがそれらと同種のハードウェアである。
【００３６】
入力装置４５は、上記の入力デバイスの他に、複数のカメラ４８を備える。複数のカメラ４８は、モーションキャプチャにおいてマーカーを撮影するために用いられる装置である。マーカーとは、動きをデジタル化する対象（本実施例では人）に取り付けられる軽量の球体である。複数のカメラ４８によって撮影された画像から各マーカーの空間上の座標を算出することで、対象の動きがデジタル化される。
【００３７】
また、上記の各装置は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよい。また、上記の各装置は、当該ハードウェアにより、各機能ブロックの一部又は全てが実現されてもよい。例えば、プロセッサ１１は、これらのハードウェアの少なくとも１つを用いて実装されてもよい。
【００３８】
コンテンツ配信システム１が備える各装置における各機能は、各々のプロセッサ、メモリなどのハードウェア上に所定のソフトウェア（プログラム）を読み込ませることによって、プロセッサが演算を行い、各々の通信装置による通信を制御したり、メモリ及びストレージにおけるデータの読み出し及び書き込みの少なくとも一方を制御したりすることによって実現される。
【００３９】
図５は各装置が実現する機能構成を表す。第１配信装置１０は、入力情報取得部１０１と、コンテンツ取得部１０２と、コンテンツ重畳部１０３とを備える。第２配信装置２０は、入力情報取得部２０１と、コンテンツ取得部２０２と、コンテンツ重畳部２０３とを備える。ユーザ端末３０は、コンテンツ出力部３０１と、入力受付部３０２とを備える。コンテンツ提供装置４０は、第１入力情報取得部４０１と、第２入力情報取得部４０２と、第１絞込部４０３と、第２絞込部４０４と、第１反映画像生成部４０５と、第２反映画像生成部４０６と、コンテンツ生成部４０７と、コンテンツ送信部４０８とを備える。
【００４０】
第１配信システム３が備えるユーザ端末３０のコンテンツ出力部３０１は、配信装置（第１配信装置１０及び第２配信装置２０）から配信されたコンテンツを出力する。
図６は第１配信システム３において出力されたコンテンツの一例を表す。図６（ａ）の例では、コンテンツ出力部３０１は、動画表示欄Ｄ１にハニワのキャラクタＡ１及びＡ２が表されたコンテンツＣ０を表示している。また、コンテンツ出力部３０１は、コメント送信ボタンＢ１と、コメント入力欄Ｅ１とを表示している。
【００４１】
入力受付部３０２は、コンテンツ出力部３０１によりコンテンツが出力されている状態においてユーザが行った入力を受け付ける。入力受付部３０２は、本実施例では、コメント入力欄Ｅ１への文字列の入力とコメント送信ボタンＢ１を押す操作とを、コメントの入力として受け付ける。入力受付部３０２は、コメントの入力を受け付けると、入力を受け付けたコメントを示すコメントデータを、視聴者による入力情報を示すデータとして生成し、第１配信装置１０に送信する。
【００４２】
第１配信装置１０の入力情報取得部１０１は、送信されてきたコメントデータを受け取ると、そのコメントデータが示すコメントを入力情報として取得する。入力情報取得部１０１は、取得した入力情報をコンテンツ重畳部１０３に供給する。第１配信装置１０のコンテンツ取得部１０２は、自装置が配信するコンテンツを取得する機能である。コンテンツ取得部１０２は、自装置に予め記憶されているコンテンツを取得することもあるが、本実施例では、コンテンツ提供装置４０から提供されるコンテンツを取得する。
【００４３】
コンテンツ取得部１０２は、取得したコンテンツをコンテンツ重畳部１０３に供給する。コンテンツ重畳部１０３は、コンテンツ取得部１０２から供給されたコンテンツに、入力情報取得部１０１から供給された入力情報に対応付けられた内容を重畳する重畳処理を行う。コンテンツ重畳部１０３は、本実施例では、入力情報であるコメントを示す文字列をその入力情報に対応付けられた内容としてコンテンツに重畳する。
【００４４】
コンテンツ重畳部１０３は、重畳処理を施したコンテンツをユーザ端末３０に送信する。図５では１台のユーザ端末３０しか表されていないが、実際にはコンテンツを視聴している視聴者の数だけユーザ端末３０が存在する。コンテンツ重畳部１０３は、それらのユーザ端末３０に対して重畳処理後のコンテンツを配信する。
【００４５】
ユーザ端末３０のコンテンツ出力部３０１は、送信されてきたコンテンツを出力する。図６（ｂ）の例では、コンテンツ出力部３０１は、ハニワのキャラクタＡ１及びＡ２の動画に重畳された「ハニワ」、「埴輪」及び「ばんざい」等の視聴者のコメント群Ｆ１を含むコンテンツＣ１を表示している。コンテンツ出力部３０１は、これらのコメント群Ｆ１を例えば画面の左右方向に移動させながら表示する。
【００４６】
第２配信システム４が備えるユーザ端末３０及び第２配信装置２０が備える各機能は、第１配信システム３が備えるユーザ端末３０及び第１配信装置１０が備える各機能と共通している。
図７は第２配信システム４において出力されたコンテンツの一例を表す。図７（ａ）の例では、コンテンツ出力部３０１は、動画表示欄Ｄ２に、図６（ａ）に表すものと同じハニワのキャラクタＡ１及びＡ２が表されたコンテンツＣ０を表示している。
【００４７】
また、コンテンツ出力部３０１は、コメント送信ボタンＢ２と、コメント入力欄Ｅ２とを表示している。また、図７（ｂ）の例では、コンテンツ出力部３０１は、ハニワのキャラクタＡ１及びＡ２の動画に重畳された「埴熟」、「ＨＡＮＩＷＡ」及び「万？！」等の視聴者のコメント群Ｆ２を含むコンテンツＣ２を表示している。コンテンツ出力部３０１は、これらのコメント群Ｆ２を例えば画面の左右方向に移動させながら表示する。
【００４８】
第１配信装置１０の入力情報取得部１０１は、取得した入力情報をコンテンツ重畳部１０３に供給すると共に、コンテンツ提供装置４０に送信する。コンテンツ提供装置４０の第１入力情報取得部４０１は、第１配信システム３における入力情報を取得する。第２配信装置２０の入力情報取得部２０１は、取得した入力情報をコンテンツ重畳部２０３に供給すると共に、コンテンツ提供装置４０に送信する。コンテンツ提供装置４０の第２入力情報取得部４０２は、第２配信システム４における入力情報を取得する。
【００４９】
以下では、第１入力情報取得部４０１が取得する入力情報を「第１入力情報」といい、第２入力情報取得部４０２が取得する入力情報を「第２入力情報」という。第１入力情報取得部４０１及び第２入力情報取得部４０２が協働することで本発明の「入力取得部」の一例として機能する。第１入力情報取得部４０１は、取得した第１入力情報を第１絞込部４０３に供給し、第２入力情報取得部４０２は、取得した第２入力情報を第２絞込部４０４に供給する。
【００５０】
第１絞込部４０３には、第１入力情報が大量に供給されてくる。第１絞込部４０３は、それらの第１入力情報を、予め定められた第１条件を満たす第１入力情報に絞り込む。一方、第２絞込部４０４には、第２入力情報が大量に供給されてくる。第２絞込部４０４は、それらの第２入力情報を、予め定められた第２条件を満たす第２入力情報に絞り込む。
【００５１】
第１条件及び第２条件は、例えば、入力情報が予め定められた文字列を含む場合に満たされる。第１絞込部４０３及び第２絞込部４０４は、第１条件を満たす文字列及び第２条件を満たす文字列を示す文字列リストを記憶する。
図８は文字列リストの一例を表す。図８の例では、第１条件を満たす文字列として「はにわ」、「ハニワ」、「埴輪」及び「ＨＡＮＩＷＡ」という文字列が示されている。
【００５２】
また、第２条件を満たす文字列として「埴熟」、「兵嗟俑」及び「ＨＡＮＩＷＡ」という文字列が示されている。図８の例では、「ＨＡＮＩＷＡ」のように第１条件及び第２条件が同じ条件となる文字列が含まれているが、それ以外はいずれも第１条件及び第２条件が異なる条件となる文字列が含まれている。第１配信システム３及び第２配信システム４においては、図８の例のように、第１条件とは異なる条件を含む条件が少なくとも１つは必ず第２条件として用いられるものとする。
【００５３】
第１絞込部４０３は、図６（ａ）の例であれば、第１条件を満たす「はにわ」、「埴輪」、「はにわｗｗｗ」、「はにわっ」及び「埴輪だ」というコメントに絞り込み、第１条件を満たさない「ばんざい」というコメントは除外する。第２絞込部４０４は、図７（ａ）の例であれば、第２条件を満たす「埴熟」、「兵嗟俑」、「兵嗟俑？」及び「ＨＡＮＩＷＡ」というコメントに絞り込み、第２条件を満たさない「万？！」というコメントは除外する。
【００５４】
第１絞込部４０３は、絞り込んだ第１入力情報を第１反映画像生成部４０５に供給する。第２絞込部４０４は、絞り込んだ第２入力情報を第２反映画像生成部４０６に供給する。第１反映画像生成部４０５は、第１絞込部４０３から供給された第１入力情報（第１条件を満たす第１入力情報）に対応付けられた内容を反映する画像を生成する。第２反映画像生成部４０６は、第２絞込部４０４から供給された第２入力情報（第２条件を満たす第２入力情報）に対応付けられた内容を反映する画像を生成する。
【００５５】
以下では、第１反映画像生成部４０５により生成される画像を「第１反映画像」と言い、第２反映画像生成部４０６により生成される画像を「第２反映画像」と言う。
図９は第１反映画像及び第２反映画像の一例を表す。図９（ａ）では、図６に表すハニワのキャラクタＡ１の土台部分が伸びた画像が第１反映画像として表されている。図９（ｂ）では、ハニワのキャラクタＡ２の土台部分が伸びた画像が第２反映画像として表されている。
【００５６】
第１反映画像生成部４０５及び第２反映画像生成部４０６は、供給された入力情報の数に応じた長さだけ土台部分を伸ばしている。図９の例においてキャラクタＡ２の土台部分の方が長いのは、第２絞込部４０４から供給された第２入力情報の方が第１絞込部４０３から供給された第１入力情報よりも多かったことを表している。第１入力情報の方が第２入力情報よりも多ければ、キャラクタＡ１の土台部分の方が長くなる。
【００５７】
このように、本実施例では、第１条件を満たす第１入力情報の数が多いほどキャラクタＡ１の土台が長くなるという内容が第１入力情報に対応付けられている。また、第２条件を満たす第２入力情報の数が多いほどキャラクタＡ２の土台が長くなるという内容が第２入力情報に対応付けられている。第１反映画像生成部４０５は、生成した第１反映画像をコンテンツ生成部４０７に供給する。第２反映画像生成部４０６は、生成した第２反映画像をコンテンツ生成部４０７に供給する。
【００５８】
コンテンツ生成部４０７は、第１配信システム３及び第２配信システム４に提供する共通のコンテンツを生成する。コンテンツ生成部４０７は、本実施例では、モーションキャプチャの技術を用いて人の動きを再現するキャラクタを含むコンテンツを生成する。コンテンツ生成部４０７は、まず、モーションキャプチャの周知の技術を用いて、図４に表す複数のカメラ４８により撮影されたマーカーの座標を特定する。
【００５９】
コンテンツ生成部４０７は、所定の時間間隔で各マーカーの座標を特定し、特定した各座標が表す人の動きを再現するようにキャラクタＡ１及びＡ２を加工する。具体的には、コンテンツ生成部４０７は、キャラクタＡ１及びＡ２の画像を予め記憶しておき、キャラクタＡ１及びＡ２の腕が人と同じ動き（腕の上下及び曲げ伸ばしの動き）をするように加工する。
【００６０】
また、コンテンツ生成部４０７は、第１反映画像及び第２反映画像が供給された後は、供給された第１反映画像及び第２反映画像の腕が人と同じ動きをするように加工する。また、コンテンツ生成部４０７は、供給された第１入力情報及び第２入力情報を重畳したコンテンツを生成する。コンテンツ生成部４０７は、生成したコンテンツをコンテンツ送信部４０８に供給する。
【００６１】
コンテンツ送信部４０８は、コンテンツ生成部４０７により生成されたコンテンツを第１配信システム３及び第２配信システム４に送信する。コンテンツ送信部４０８は本発明の「送信部」の一例である。コンテンツ送信部４０８は、例えばストリーミングの技術を用いて、コンテンツ生成部４０７によるコンテンツの生成と並行して生成されたコンテンツを送信する。
【００６２】
第１配信装置１０は、受け取ったコンテンツを第１配信システム３のユーザ端末３０に配信する。第２配信装置２０は、受け取ったコンテンツを第２配信システム４のユーザ端末３０に配信する。
図１０は出力されたコンテンツの一例を表す。図１０（ａ）では、第１配信システム３のユーザ端末３０が出力したコンテンツＣ３が表されている。
【００６３】
図１０（ｂ）では、第２配信システム４のユーザ端末３０が出力したコンテンツＣ４が表されている。コンテンツＣ３及びＣ４には、いずれも第１反映画像（土台が長くなった画像）であるキャラクタＡ１及び第２反映画像（土台が長くなった画像）であるキャラクタＡ２が表されている。また、コンテンツＣ３には、日本のユーザが入力したコメント群Ｆ３が含まれており、コンテンツＣ４には、中国のユーザが入力したコメント群Ｆ４が含まれている。
【００６４】
これらのコメント群は、コンテンツ生成部４０７により生成されたコンテンツに、第１配信装置１０のコンテンツ重畳部１０３及び第２配信装置２０のコンテンツ重畳部２０３によって重畳されている。つまり、コンテンツＣ３からコメント群Ｆ３を除いたコンテンツと、コンテンツＣ４からコメント群Ｆ４を除いたコンテンツとが、コンテンツ送信部４０８により配信された共通のコンテンツである。
【００６５】
この共通のコンテンツには、第１入力情報取得部４０１により取得された第１入力情報に対応付けられた内容（第１条件を満たす第１入力情報の数が多いほどキャラクタＡ１の土台が長くなるという内容）及び第２入力情報取得部４０２により取得された第２入力情報に対応付けられた内容（第２条件を満たす第２入力情報の数が多いほどキャラクタＡ２の土台が長くなるという内容）がいずれも反映されている。
【００６６】
また、図１０（ｃ）では、コメント入力の受付期間が終了した後に生成される、最終的なキャラクタＡ１及びＡ２を含む共通のコンテンツＣ５が表されている。コンテンツＣ５にも、第１入力情報に対応付けられた内容として第１条件を満たす第１入力情報の数（この例では「９５２３」件）を示すコメント数画像Ｇ１が含まれ、第２入力情報に対応付けられた内容として第２条件を満たす第２入力情報の数（この例では「１０７８０」件）を示すコメント数画像Ｇ２が含まれている。
【００６７】
以上のとおり、第１絞込部４０３、第２絞込部４０４、第１反映画像生成部４０５、第２反映画像生成部４０６及びコンテンツ生成部４０７は、取得された第１入力情報に対応付けられた内容及び取得された第２入力情報に対応付けられた内容をいずれもコンテンツに反映する入力反映部４０９として機能する。入力反映部４０９は本発明の「反映部」の一例である。
【００６８】
本実施例では、入力反映部４０９は、上記のとおり第１条件を満たす第１入力情報に対応付けられた内容と、第１条件とは異なる第２条件を満たす第２入力情報とに対応付けられた内容とを反映させる。その際に、入力反映部４０９は、取得された第１入力情報に対応付けられた内容を反映してコンテンツの第１部分（例えばキャラクタＡ１の土台部分）を変化させる。
【００６９】
そして、入力反映部４０９は、取得された第２入力情報に対応付けられた内容を反映して第１部分とは異なる第２部分（例えばキャラクタＡ２の土台部分）を変化させる。コンテンツ送信部４０８は、この入力反映部４０９により内容が反映されたコンテンツを配信する。
【００７０】
コンテンツ配信システム１が備える各装置は、上記の構成に基づいて、第１入力情報に対応付けられた内容及び第２入力情報に対応付けられた内容をいずれも反映したコンテンツを配信する配信処理を行う。
図１１は配信処理における各装置の動作手順の一例を表す。この動作手順は、コンテンツ提供装置４０から第１配信装置１０及び第２配信装置２０にコンテンツが提供され始めることを契機に開始される。
【００７１】
まず、コンテンツ提供装置４０（コンテンツ送信部４０８）は、第１配信装置１０及び第２配信装置２０にコンテンツを送信する（ステップＳ１１、Ｓ２１）。次に、第１配信装置１０（コンテンツ取得部１０２）は、送信されてきたコンテンツを取得する（ステップＳ１２）。続いて、第１配信装置１０（コンテンツ重畳部１０３）は、取得したコンテンツをユーザ端末３０に配信する（ステップＳ１３）。
【００７２】
ステップＳ１３の段階では、まだ入力情報が取得されていないので重畳処理が行われない。ステップＳ１３で配信されたコンテンツを視聴したユーザがコメントを入力することで、第１配信装置１０（入力情報取得部１０１）は、そのコメントを第１入力情報として取得する（ステップＳ１４）。次に、第１配信装置１０（コンテンツ重畳部１０３）は、取得された第１入力情報に対応付けられた内容をコンテンツに重畳する重畳処理を行い（ステップＳ１５）、重畳処理後のコンテンツを複数のユーザ端末３０に配信する（ステップＳ１６）。
【００７３】
第１配信装置１０（入力情報取得部１０１）は、取得した第１入力情報をコンテンツ提供装置４０に送信する（ステップＳ１７）。ステップＳ１７の動作は、ステップＳ１５、Ｓ１６の動作の前又はそれらの動作に並行して行われてもよい。第２配信装置２０は、ステップＳ２２からＳ２７まで、第１配信装置１０のステップＳ１２からＳ１７までに相当する動作を行う。
【００７４】
コンテンツ提供装置４０（第１入力情報取得部４０１及び第２入力情報取得部４０２）は、ステップＳ１７で送信されてきた第１入力情報と、ステップＳ２７で送信されてきた第２入力情報とを取得する（ステップＳ３１）。次に、コンテンツ提供装置４０（第１絞込部４０３及び第２絞込部４０４）は、取得された第１入力情報を第１条件を満たすものに絞り込み、取得された第２入力情報を第２条件を満たすものに絞り込む（ステップＳ３２）。
【００７５】
続いて、コンテンツ提供装置４０（第１反映画像生成部４０５及び第２反映画像生成部４０６）は、絞り込まれた第１入力情報に対応付けられた内容を反映する第１反映画像を生成し、絞り込まれた第２入力情報に対応付けられた内容を反映する第２反映画像を生成する（ステップＳ３３）。次に、コンテンツ提供装置４０（コンテンツ生成部４０７）は、生成された第１反映画像及び第２反映画像を用いて、第１配信システム３及び第２配信システム４に提供する共通のコンテンツを生成する（ステップＳ３４）。
【００７６】
そして、コンテンツ提供装置４０（コンテンツ送信部４０８）は、生成されたコンテンツを第１配信装置１０及び第２配信装置２０にそれぞれ送信する（ステップＳ４１、Ｓ５１）。第１配信装置１０（コンテンツ取得部１０２）は、送信されてきたコンテンツを取得する（ステップＳ４２）。次に、第１配信装置１０（コンテンツ重畳部１０３）は、取得されたコンテンツに第１入力情報に対応付けられた内容を重畳する重畳処理を行う（ステップＳ４３）。
【００７７】
そして、第１配信装置１０（コンテンツ重畳部１０３）は、重畳処理後のコンテンツを複数のユーザ端末３０に配信する（ステップＳ４４）。第２配信装置２０は、ステップＳ５２からＳ５４まで、第１配信装置１０のステップＳ４２からＳ４４までに相当する動作を行う。以上の動作手順が行われることで、第１入力情報に対応付けられた内容及び取得された第２入力情報に対応付けられた内容がいずれも反映されたコンテンツが配信される。
【００７８】
本実施例では、第１配信システム３及び第２配信システム４が配信するコンテンツを視聴する各視聴者に、上記のとおり共通のコンテンツが配信される。その共通のコンテンツには、両配信システムの視聴者による入力情報に対応付けられた内容がそれぞれ反映されている。例えば図９、図１０の例であれば、日本の視聴者の入力情報はキャラクタＡ１の土台部分の伸びとして反映され、中国の視聴者の入力情報はキャラクタＡ２の土台部分の伸びとして反映される。
【００７９】
上記の反映がされることで、日本の視聴者も中国の視聴者も、自分もコンテンツ配信に参加しているような体験（参加体験）をすることになる。また、その際に配信されるコンテンツが共通であるから、日本の視聴者はキャラクタＡ２の土台部分の伸びを見ることで、中国の視聴者がどのくらいコメントを熱心に入力しているかを知ることができる。反対に、中国の視聴者はキャラクタＡ１の土台部分の伸びを見ることで、日本の視聴者がどのくらいコメントを熱心に入力しているかを知ることができる。
【００８０】
そして、最終的にどちらのキャラクタの方が土台部分が伸びたのか、すなわち、条件を満たす入力情報を多く入力したのはどちらなのかを、どちらの視聴者も知ることができる。このように、本実施例によれば、第１配信システム３及び第２配信システム４によって提供される複数の双方向サービスの視聴者に共通の参加体験を提供することができる。
【００８１】
また、本実施例では、全ての入力情報がコンテンツの反映に用いられるわけではなく、条件を満たした入力情報だけが用いられる。そして、その条件は、図８の説明で述べたように双方向サービス毎に異なる条件（少なくとも一部は異なる条件）が用いられる。この条件の違いにより、例えば日本の視聴者には日本語のキーワードを条件として用い、中国の視聴者には中国語のキーワードを用いるというように、視聴者毎に、より適切な条件を用いて入力情報を絞り込むことができる。
【００８２】
また、本実施例では、第１入力情報及び第２入力情報に基づいてコンテンツのそれぞれ異なる部分が変化する。この変化部分の違いにより、各双方向サービスの視聴者が共通の参加体験をしつつ、各双方向サービスの視聴者の入力状況（上記例では条件を満たす入力情報の数の状況）を知ることができる。
【００８３】
［２］変形例
上述した実施例は本発明の実施の一例に過ぎず、以下のように変形させてもよい。また、実施例及び各変形例は必要に応じてそれぞれ組み合わせてもよい。その際は、各変形例について優先順位を付けて（各変形例を実施すると競合する事象が生じる場合にどちらを優先するかを決める順位付けをして）実施してもよい。
【００８４】
また、具体的な組み合わせ方法として、例えば共通する値を求めるために異なるパラメータを用いる変形例を組み合わせて、それらのパラメータを共に用いて共通する値等を求めてもよい。また、個別に求めた値等を何らかの規則に従い合算して１つの値等を求めてもよい。また、それらの際に、用いられるパラメータ毎に異なる重み付けをしてもよい。
【００８５】
［２−１］入力情報
実施例では、文字列として入力されたコメントが入力情報として用いられたが、これに限らない。例えば音声入力されたコメントが入力情報として用いられてもよい。また、配信システムの画面に操作ボタン（例えばキャラクタを応援することを示すボタン等）が設けられている場合に、その操作ボタンを押したことを示す情報が入力情報として用いられてもよい。要するに、視聴者がコンテンツを視聴しながら入力することができる情報であれば、どのような情報が入力情報として用いられてもよい。
【００８６】
［２−２］入力情報に対応付けられた内容
入力反映部４０９（特にコンテンツ生成部４０７）は、実施例では、入力情報に対応付けられた内容として、キャラクタの形を変化させた（土台部分を伸ばした）画像をコンテンツに重畳したが、これに限らない。入力反映部４０９は、例えば、キャラクタの色又は大きさを変化させてもよいし、キャラクタではなく背景又はキャラクタの付属物（服装又は装備等）を変化させてもよい。
【００８７】
これらはいずれもコンテンツ内に画像として表される部分である。これらの画像を変化させる場合、入力反映部４０９は、コンテンツを生成する際にコンテンツの一部として用いる画像を加工したり、複数の画像から選択したりすることで、上記の変化を反映させる。また、入力反映部４０９は、コンテンツに含まれる画像以外の部分について変化させてもよい。例えばコンテンツ内で音楽が流れる場合、入力反映部４０９は、その音楽を変化させてもよい。
【００８８】
音楽を変化させる場合、入力反映部４０９は、コンテンツを生成する際に用いる音データを加工したり、複数の音データから選択したりすることで、音楽の変化を反映させる。また、例えば実施例のようにモーションキャプチャにより人の動きをキャラクタの動きに反映したり、さらに人が話した音声をリアルタイムにキャラクタの音声として反映させたりする場合がある。
【００８９】
入力反映部４０９は、それらのキャラクタの動き又はキャラクタのセリフの内容を変化させてもよい。その場合、入力反映部４０９は、動き及び音声を担当する人（担当者）に対して動き及びセリフを指示する指示データを出力する。この指示データを例えば担当者の前に設置されたディスプレイに表示させることで、担当者は表示された指示に従い動いたりセリフを話したりする。そうすることで、指示された動き及びセリフの内容がコンテンツに反映される。
【００９０】
また、入力反映部４０９は、入力情報がコメントである場合に、そのコメントを示す文字列を入力情報に対応付けられた内容として反映してもよい。
図１２は表示されるコンテンツの一例を表す。図１２の例では、第１配信システム３のユーザ端末３０のコンテンツ出力部３０１が、日本の視聴者のコメント及び中国の視聴者のコメントを合わせたコメント群Ｆ６を含むコンテンツＣ６を表示している。
【００９１】
この反映方法は、実施例で述べた第１配信システム３及び第２配信システム４で行われる反映方法と同じである。従って、入力反映部４０９がこの反映方法を用いる場合は、第１配信システム３及び第２配信システム４はコメントを示す文字列を反映しない（同じコメントが二重に反映されるため）。このように、第１配信システム３及び第２配信システム４は、入力情報に対応付けられた内容のコンテンツへの反映を必ずしも行わなくてもよい（入力反映部４０９によって行われるため）。
【００９２】
図１２の例では、日本の視聴者が中国の視聴者のコメントを見ることができ、中国の視聴者が日本の視聴者のコメントを見ることができる。その結果、自国の視聴者のコメントしか見られない場合に比べて、複数の双方向サービスの視聴者に対して、より共通性の高い参加体験を提供することができる。
【００９３】
また、入力反映部４０９が用いる反映方法は、第１配信システム３及び第２配信システム４が用いる反映方法と同じでも異なっていてもよい。入力反映部４０９は、少なくとも、取得された第１入力情報に対応付けられた内容及び取得された第２入力情報に対応付けられた内容をいずれもコンテンツに反映していればよい。そうすることで、複数の双方向サービスの視聴者に共通の参加体験を提供することができる。
【００９４】
［２−３］第１条件及び第２条件
実施例では、入力情報であるコメントに特定の文字列が含まれている場合に第１条件及び第２条件が満たされたが、これに限らない。例えば配信システムの画面に複数の操作ボタンが表示される場合に、そのうちの特定の操作ボタンが押されることで満たされる条件が第１条件及び第２条件として用いられてもよい。
【００９５】
図１３は表示される操作ボタンの一例を表す。図１３の例では、第１配信システム３のユーザ端末３０のコンテンツ出力部３０１が、コンテンツ及びコメントの入力用の画像の他に、「すごい！」と書かれた評価ボタンＢ３と、「いまいち」と書かれた評価ボタンＢ４と、投稿ボタンＢ５とを表示している。第１絞込部４０３は、これらのボタンのうち例えば評価ボタンＢ３を押す操作を示す第１入力情報が取得された場合に第１条件が満たされたと判断する。
【００９６】
また、第２配信システム４でも評価ボタンＢ３、Ｂ４及び投稿ボタンＢ５に相当するボタンが表示されているものとする。その場合に、第２絞込部４０４は、それらのボタンのうち例えば投稿ボタンＢ５を押す操作を示す第２入力情報が取得された場合に第２条件（第１条件とは異なる条件）が満たされたと判断する。例えば日本の視聴者は評価ボタンをよく使う傾向があり、中国の視聴者は投稿ボタンをよく使う傾向があるという場合に、上記の第１条件及び第２条件が用いられることで、視聴者毎に、より適切な条件を用いて入力情報を絞り込むことができる。
【００９７】
なお、操作ボタン以外にも、例えば音声を用いた入力が行われる場合に、音量、音声の長さ又は音質に対する条件（例えば音量が閾値以上の場合に満たされる条件）が第１条件及び第２条件として用いられてもよい。また、第１条件及び第２条件は、入力情報が適切に（コンテンツの提供者が意図した入力情報に）絞り込めるのであれば、同じ条件であってもよい。
【００９８】
なお、上記の各例では、第１条件及び第２条件が視聴者に明示されていなかったが、これらを明示するようにしてもよい。その場合、第１条件及び第２条件を説明する文章をコンテンツに含めて配信してもよいし、その文章をユーザ端末３０に送信してコンテンツを視聴するための画面に表示させてもよい。また、明示する条件と明示しない条件とを混在させてもよい。明示すれば自分の入力が反映されている感触を確かに感じることができるし、明示しなければ隠された条件を探す楽しみを得ることができる。
【００９９】
［２−４］フィルタの活用
実施例では、第１配信システム３及び第２配信システム４がいずれも入力情報の絞り込みを行わなかったが、それが行われてもよい。その場合に、コンテンツ提供装置４０が、各配信システムの絞込機能（フィルタ機能とも呼ばれる）を活用してもよい。
【０１００】
図１４は本変形例において実現される機能構成の一例を表す。図１４の例では、図５に表す各部に加えて入力情報絞込部１０４を備える第１配信装置１０ａと、図５に表す各部に加えて入力情報絞込部２０４を備える第２配信装置２０ａとが表されている。入力情報絞込部１０４は、コンテンツ重畳部１０３によるコンテンツの反映に用いられる入力情報を絞り込む。
【０１０１】
入力情報絞込部２０４は、コンテンツ重畳部２０３によるコンテンツの反映に用いられる入力情報を絞り込む。入力情報絞込部１０４及び入力情報絞込部２０４はいずれも本発明の「絞込機能」の一例である。入力情報取得部１０１は、取得した入力情報を入力情報絞込部１０４に供給する。入力情報絞込部１０４は、供給された入力情報（コメント）を、例えば第１配信システム３において予め定められたＮＧワード（配信するのに不適切な言葉等）を含まないものに絞り込む。
【０１０２】
入力情報絞込部１０４は、絞り込んだ入力情報をコンテンツ重畳部１０３に供給し、コンテンツ提供装置４０に送信する。この絞り込みにより、ＮＧワードが含まれないコメントだけがコンテンツに重畳されて配信される。第２配信装置２０ａにおいても同様の絞り込みが行われる。入力情報絞込部１０４及び入力情報絞込部２０４は、各々が記憶するＮＧワードリストを用いて絞り込みを行う。
【０１０３】
図１５はＮＧワードリストの一例を表す。図１５（ａ）では第１配信システム３のＮＧワードリストＨ１（主に日本語のＮＧワードのリスト）が表されている。図１５（ｂ）では第２配信システム４のＮＧワードリストＨ２（主に中国語のＮＧワードのリスト）が表されている。入力情報絞込部１０４は、ＮＧワードリストＨ１を用いて絞り込みを行うと共に、このＮＧワードリストＨ１をコンテンツ提供装置４０に送信する。
【０１０４】
また、入力情報絞込部２０４も同様にＮＧワードリストＨ２をコンテンツ提供装置４０に送信する。コンテンツ提供装置４０は、ＮＧワードリストＨ１を第２絞込部４０４に供給し、ＮＧワードリストＨ２を第１絞込部４０３に供給する。本変形例の第１絞込部４０３は、供給されたＮＧワードリストＨ２を用いて絞り込みを行う。
【０１０５】
また、本変形例の第２絞込部４０４は、供給されたＮＧワードリストＨ１を用いて絞り込みを行う。この絞り込みにより、入力反映部４０９（第１絞込部４０３）は、ＮＧワードリストＨ２を用いた絞り込み、すなわち入力情報絞込部２０４による絞り込みで残る場合に満たされる条件（ＮＧワードリストＨ２に含まれるＮＧワードを含まないという条件）を第１条件として用いることになる。
【０１０６】
また、入力反映部４０９（第２絞込部４０４）は、ＮＧワードリストＨ１を用いた絞り込み、すなわち入力情報絞込部１０４による絞り込みで残る場合に満たされる条件（ＮＧワードリストＨ１に含まれるＮＧワードを含まないという条件）を第２条件として用いることになる。例えば図１２の例のように両配信システムのコメントがどちらもコンテンツに反映される場合がある。
【０１０７】
その場合に本変形例の第１条件が用いられないと、第１絞込部４０３により絞り込まれたコメントには、第１配信システム３のＮＧワードは含まれないが、第２配信システム４のＮＧワードは含まれ得る。また、本変形例の第２条件が用いられないと、第２絞込部４０４により絞り込まれたコメントには、第２配信システム４のＮＧワードは含まれないが、第１配信システム３のＮＧワードは含まれ得る。
【０１０８】
本変形例の第１条件及び第２条件が用いられることで、そのようにＮＧワードを含むコンテンツの配信を防ぐことができる。なお、図１４の例では第１配信システム３及び第２配信システム４がいずれも絞込機能を有していたが、これに限らず、どちらか一方だけが絞込機能を有していてもよい。本変形例では、両配信システムのうちの少なくとも一方が絞込機能を有しており、その絞込機能による絞り込みで残ることが第１条件又は第２条件として用いられればよい。
【０１０９】
［２−５］反映対象量の調整
図１０の例ではコメントの件数に応じてキャラクタ画像の土台部分が伸びることで、日本の視聴者のコメント数と中国の視聴者のコメント数とを競う演出がされていた。この演出がされる場合、コメント数の差が小さいほど接戦になって盛り上がりやすい。そこで、接戦を演出するための調整が行われてもよい。
【０１１０】
なお、上記の競う演出は、コメント数を競うものに限らない。例えばコメントの文字数又は特定のキーワードの数が競われてもよい。また、音声が入力される場合に、その音声の音量又は音声の持続時間等が競われてもよい。また、操作ボタンを押す操作を示す入力情報が取得される場合に、操作ボタンを押した回数が競われてもよい。要するに、これらの入力情報によって示される量が比較されることで競う演出が行われる。
【０１１１】
本変形例の入力反映部４０９（第１絞込部４０３及び第２絞込部４０４）は、第１条件を満たす第１入力情報が示す量と第２条件を満たす第２入力情報が示す量との差分が閾値以上である場合、その差分が小さくなるように第１条件又は第２条件を変更する。例えば図８に表す文字列リストを用いて絞り込みが行われ、中国の視聴者のコメント数の方が多く且つ差分が閾値以上であるものとする。
【０１１２】
その場合、第２絞込部４０４は、例えば図８に表す３つの文字列のうち２つだけを用いて絞り込みを行うことで、絞り込まれる第２入力情報が少なくなるようにし、差分を小さくする。また、それ以外にも、例えば第１絞込部４０３が、図８に表す４つの文字列に、予め用紙されていた文字列を加えて絞り込みを行ってもよい。その場合も、絞り込まれる第１入力情報が多くなるので、差分が小さくなる。
【０１１３】
上記のとおり調整した条件も、視聴者に明示されてもよいし、明示されなくてもよい。条件が明示されていなければ、視聴者は、競争が接戦になることはそれほど多くはないことから、接戦になって盛り上がっている競争に偶然参加できたという幸運を感じることができる。また、条件が明示されている場合でも、視聴者は、接戦になる演出がされているため有利な状態が逆転されやすいことを前提に競争を楽しむことができる。
【０１１４】
［２−６］コンテンツの第１部分及び第２部分
入力反映部４０９は、実施例では、コンテンツの第１部分及び第２部分として異なるキャラクタの一部を変化させたが、これに限らない。入力反映部４０９は、例えば、同じキャラクタの異なる部分（例えばキャラクタＡ１の頭部分及び土台部分等）を第１部分及び第２部分として変化させてもよい。
【０１１５】
また、入力反映部４０９は、キャラクタ以外の画像（背景及び付属物等）の一部を第１部分及び第２部分として変化させてもよい。例えばキャラクタが舞台で踊るコンテンツにおいては、舞台及び照明が第１部分及び第２部分であってもよい。また、キャラクタ同士が武器を持って戦うコンテンツにおいては、日本のキャラクタが持つ手裏剣及び中国のキャラクタが持つヌンチャクが第１部分及び第２部分であってもよい。
【０１１６】
また、日本のキャラクタのセリフと中国のキャラクタのセリフが第１部分及び第２部分であってもよい。また、日本のキャラクタの動き（例えば忍者の動き）と中国のキャラクタの動き（例えばカンフーの動き）が第１部分及び第２部分であってもよい。要するに、コンテンツにおいて異なる部分の変化に互いの入力情報が用いられていることが分かるようになっていれば、どの部分が第１部分及び第２部分として用いられてもよい。
【０１１７】
［２−７］共通部分に反映
入力反映部４０９は、実施例では、コンテンツの第１部分及び第２部分としてコンテンツのうち異なる部分を変化させたが、共通部分（例えば同じキャラクタの同じ部分）を変化させてもよい。また、入力反映部４０９は、常に共通部分を変化させるのではなく、特定の入力情報についてだけ共通部分を変化させてもよい。
【０１１８】
本変形例では、入力反映部４０９（コンテンツ生成部４０７）は、第１条件を満たす第１入力情報と、その第１条件に対応付けられた条件を第２条件として満たす第２入力情報とが取得された場合、コンテンツのうちその第１入力情報に対応付けられた内容を反映させる部分及びその第２入力情報に対応付けられた内容を反映させる部分を共通にする。例えば第１配信システム３及び第２配信システム４で表示されるボタンが異なる場合がある。
【０１１９】
図１６は本変形例で表示される操作ボタンの一例を表す。図１６の例では、第２配信システム４のユーザ端末３０のコンテンツ出力部３０１が、コンテンツ及びコメントの入力用の画像の他に、「真棒！」と書かれた評価ボタンＢ６と、「平凡」と書かれた評価ボタンＢ７と、「不好」と書かれた評価ボタンＢ８とを表示している。第１配信システム３においては、図１３に表すボタンが表示されるものとする。
【０１２０】
例えば評価ボタンＢ３及びＢ６は、どちらもコンテンツを高く評価する場合に押すボタンであるが、書かれた言葉の意味は似てはいるが言語が異なるのだから完全に一致するわけではない。そこで、入力反映部４０９は、例えば評価ボタンＢ３を押した場合に満たされる第１条件と評価ボタンＢ６を押した場合に満たされる第２条件とを対応付けておき、どちらのボタンが押された場合もコンテンツの同じ部分に反映させる。
【０１２１】
また、入力反映部４０９は、第１条件及び第２条件を１対１で対応付けるだけでなく、１対Ｎ（Ｎは自然数）、Ｎ対１又はＮ対Ｎで対応付けてもよい。例えば評価ボタンＢ３を押した場合に満たされる第１条件と評価ボタンＢ６、Ｂ７を押した場合に満たされる第２条件とを対応付けておくことで、中国の視聴者が「真棒！」及び「平凡」と評価した場合はいずれも日本の視聴者が「すごい！」と評価した場合と同じ部分に反映されることになる。
【０１２２】
本変形例においては、互いの入力情報が似ているときにはコンテンツの同じ部分に反映させることができる。その結果、各配信システムが提供する機能の違い及び言語の違い等により各配信システムの視聴者が厳密には同じ入力を行うことができない場合でも、２つの双方向サービスの視聴者が同じ部分を変化させる（いわゆる協力プレーを行う）ことができる。
【０１２３】
［２−８］ユーザ属性の活用
第１配信システム３及び第２配信システム４が視聴者の属性をユーザ属性として収集している場合がある。その場合に、入力反映部４０９は、ユーザ属性を利用して入力情報を絞り込んでもよい。
【０１２４】
図１７は本変形例において実現される機能構成の一例を表す。図１７の例では、図５に表す各部に加えてユーザ属性記憶部１０５を備える第１配信装置１０ｂと、図５に表す各部に加えてユーザ属性記憶部２０５を備える第２配信装置２０ｂとが表されている。ユーザ属性記憶部１０５は、自システム（第１配信システム３）を利用するユーザについて登録された属性（ユーザ属性）を記憶する。ユーザ属性記憶部２０５は、自システム（第２配信システム４）を利用するユーザについて登録された属性（ユーザ属性）を記憶する。
【０１２５】
ユーザ属性記憶部１０５及びユーザ属性記憶部２０５は、例えば、ユーザの性別、年齢、居住地域、職業及び趣味等をユーザ属性としてユーザＩＤに対応付けて記憶する。本変形例では、ユーザ端末３０が自端末を利用するユーザのユーザＩＤをコメントデータと共に配信装置に送信する。入力情報取得部１０１は、そのコメントデータが示すコメント及びユーザＩＤを取得する。
【０１２６】
入力情報取得部１０１は、取得したユーザＩＤに対応付けて記憶されているユーザＩＤをユーザ属性記憶部１０５から読み出し、取得した入力情報（コメント）と共にコンテンツ提供装置４０に送信する。第１入力情報取得部４０１は、第１配信装置１０ｂから送信されてきた入力情報（第１入力情報）及びユーザ属性を取得する。同様にして、第２入力情報取得部４０２は、第２配信装置２０ｂから送信されてきた入力情報（第２入力情報）及びユーザ属性を取得する。
【０１２７】
これらのユーザ属性は、第１配信システム３及び第２配信システム４の視聴者の属性を示す情報であり、本発明の「属性情報」の一例である。本変形例では、第１入力情報取得部４０１及び第２入力情報取得部４０２が協働することで本発明の「属性取得部」の一例として機能する。取得されたユーザ属性は入力情報と共に入力反映部４０９（第１絞込部４０３及び第２絞込部４０４）に供給される。
【０１２８】
入力反映部４０９（第１絞込部４０３）は、第１入力情報のうち、第１属性を示すユーザ属性が取得された視聴者により入力されたものに対応付けられた内容を反映させる。また、入力反映部４０９（第２絞込部４０４）は、第２入力情報のうち、例えば第１属性とは異なる第２属性を示す属性情報が取得された視聴者により入力されたものに対応付けられた内容を反映させる。
【０１２９】
具体的には、入力反映部４０９は、例えば日本については１０代の視聴者による第１入力情報に絞り込み、中国については２０代の視聴者による第２入力情報に絞り込む。また、入力反映部４０９は、日本は東日本在住の視聴者の第１入力情報に絞り込み、中国は華中及び華南在住の視聴者の第２入力情報に絞り込んでもよい。これらの絞り込みが行われることで、視聴者全体で協力又は競争を行うのではなく、特定の属性の視聴者同士で協力又は競争を行うという演出を行うことができる。
【０１３０】
［２−９］翻訳
実施例では、第１入力情報及び第２入力情報が、互いに異なる言語で入力される文章を示す情報であった。この場合に、入力反映部４０９（コンテンツ生成部４０７）は、第１入力情報に対応付けられた内容として、その第１入力情報を第２入力情報の言語に翻訳した文章を反映させてもよい。
【０１３１】
また、入力反映部４０９（コンテンツ生成部４０７）は、第２入力情報に対応付けられた内容として、その第２入力情報を第１入力情報の言語に翻訳した文章を反映させてもよい。具体的には、入力反映部４０９は、日本語のコメントを中国語に翻訳した文章をコンテンツに反映させ、中国語のコメントを日本語に翻訳した文章をコンテンツに反映させる。
【０１３２】
図１８は本変形例において表示されるコンテンツの一例を表す。図１８の例では、第１配信システム３のユーザ端末３０のコンテンツ出力部３０１が、日本の視聴者のコメント及び中国の視聴者のコメントを翻訳した文章合わせたコメント群Ｆ７を含むコンテンツＣ７を表示している。この例では、翻訳された文章には下線が施されており、元々日本語でされたコメントと区別できるようになっている。
【０１３３】
本変形例では、図１２の例のように翻訳が行われることなくコメントが表示される場合に比べて、全てのコメントの意味を理解しながらコンテンツを楽しむことができる。一方、図１２の例においては、翻訳がされない分、外国語を話す視聴者（中国の視聴者）と参加体験を共有しているという日常ではあまりない体験を提供することができる。なお、本変形例及び図１２の例においては、いずれの場合も、図１４において説明した両配信システムの絞込機能を活用することが望ましい。
【０１３４】
［２−１０］投稿の反映
入力反映部４０９は、入力情報に対応付けられた内容として、その入力情報を入力した視聴者によるＳＮＳ（Social Networking Service）の投稿をコンテンツに反映させてもよい。入力反映部４０９は、例えば図１３に表す投稿ボタンＢ５を押す操作を示す入力情報が取得された場合に、その操作を行ったユーザの投稿をコンテンツに反映する。
【０１３５】
また、本変形例では、第２配信システム４においてもユーザの投稿をコンテンツに反映するための投稿ボタンが表示されているものとする。例えば実施例のように視聴者の住んでいる地域（国）が異なっていると、利用するＳＮＳも異なっている場合がある。その場合に、入力反映部４０９は、第１入力情報に対応付けられた内容として、その第１入力情報を入力した視聴者によるＳＮＳ（第１ＳＮＳ）の投稿を反映させる。
【０１３６】
そして、入力反映部４０９は、第２入力情報に対応付けられた内容として、その第２入力情報を入力した視聴者によるＳＮＳ（第２ＳＮＳ：第１ＳＮＳとは別のＳＮＳ）の投稿を反映させる。
図１９は本変形例において表示されるコンテンツの一例を表す。図１９の例では、第１配信システム３のユーザ端末３０のコンテンツ出力部３０１が、第１ＳＮＳの投稿画像Ｇ３及び第２ＳＮＳの投稿画像Ｇ４とを含むコンテンツＣ８を表示している。
【０１３７】
投稿画像Ｇ３の左側には、第１ＳＮＳのアイコン画像Ｇ５及び投稿者のＩＤ「ｘｘｘ」が表示され、投稿画像Ｇ４の左側には、第２ＳＮＳのアイコン画像Ｇ６及び投稿者のＩＤ「ｙｙｙ」が表示されている。投稿画像Ｇ３及びアイコン画像Ｇ５は、第１ＳＮＳへのリンクになっており、投稿画像Ｇ４及びアイコン画像Ｇ６は、第２ＳＮＳへのリンクになっている。つまり、入力反映部４０９は、ＳＮＳの投稿を反映させると共に、そのＳＮＳへのリンクも反映させている。
【０１３８】
ＳＮＳへの投稿者の中には、自分の投稿の閲覧者（フォロワー）を増やすことに熱心な者がいる。そのような投稿者が視聴者である場合には、自分の投稿がコンテンツに反映されることで、自分の投稿を他の視聴者に知ってもらう機会を得ることができる。また、本変形例では、上記例のように、各配信システムの視聴者が異なるＳＮＳを主に利用している場合に、それらのＳＮＳの投稿をコンテンツに反映させることができる。
【０１３９】
［２−１１］各機能を実現する装置
図５等に表す各機能を実現する装置は、上述した装置に限らない。例えば、第１配信装置１０及びコンテンツ提供装置４０が実現する機能を１台の装置で実現してもよい。その場合はその１台の装置が本発明の「情報処理装置」の一例となる。また、その装置がさらに第２配信装置２０の機能を実現してもよい。要するに、コンテンツ配信システム１の全体で 図５等に表す各機能が実現されていればよい。
【０１４０】
［２−１２］発明のカテゴリ
本発明は、第１配信装置１０、第２配信装置２０及びコンテンツ提供装置４０のような情報処理装置の他、それらの情報処理装置と複数のユーザ端末３０とを備える情報処理システムとしても捉えられる。なお、情報処理システムとしての範囲はこれに限らない。例えば、第１配信装置１０及びコンテンツ提供装置４０だけを備える情報処理システムとしても捉えられるし、第１配信装置１０、第２配信装置２０及びコンテンツ提供装置４０を備える情報処理システムとしても捉えられる。
【０１４１】
また、本発明は、前述した各装置が実施する処理を実現するための情報処理方法としても捉えられるし、それらの装置を制御するコンピュータを機能させるためのプログラムとしても捉えられる。このプログラムは、それを記憶させた光ディスク等の記録媒体の形態で提供されてもよいし、インターネット等のネットワークを介してコンピュータにダウンロードさせ、それをインストールして利用可能にするなどの形態で提供されてもよい。
【０１４２】
［２−１３］機能ブロック
なお、上記実施例の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。
【０１４３】
すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１４４】
機能には、判断、決定、判定、計算、算出、処理、導出、調査、探索、確認、受信、送信、出力、アクセス、解決、選択、選定、確立、比較、想定、期待、見做し、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting unit）や送信機（transmitter）と呼称される。いずれも、上述したとおり、実現方法は特に限定されない。
【０１４５】
［２−１４］入出力の方向
情報等（※「情報、信号」の項目参照）は、上位レイヤ（又は下位レイヤ）から下位レイヤ（又は上位レイヤ）へ出力され得る。複数のネットワークノードを介して入出力されてもよい。
【０１４６】
［２−１５］入出力された情報等の扱い
入出力された情報等は特定の場所（例えば、メモリ）に保存されてもよいし、管理テーブルを用いて管理してもよい。入出力される情報等は、上書き、更新、又は追記され得る。出力された情報等は削除されてもよい。入力された情報等は他の装置へ送信されてもよい。
【０１４７】
［２−１６］判定方法
判定は、１ビットで表される値（０か１か）によって行われてもよいし、真偽値（Boolean：true又はfalse）によって行われてもよいし、数値の比較（例えば、所定の値との比較）によって行われてもよい。
【０１４８】
［２−１７］情報の通知、シグナリング
情報の通知は、本開示において説明した態様／実施例に限られず、他の方法を用いて行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、報知情報（ＭＩＢ（Master Information Block）、ＳＩＢ（System Information Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【０１４９】
［２−１８］処理手順等
本開示において説明した各態様／実施例の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０１５０】
［２−１９］入出力された情報等の扱い
入出力された情報等は特定の場所(例えばメモリ)に保存されてもよいし、管理テーブルで管理してもよい。入出力される情報等は、上書き、更新、又は追記され得る。出力された情報等は削除されてもよい。入力された情報等は他の装置へ送信されてもよい。
【０１５１】
［２−２０］ソフトウェア
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１５２】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital Subscriber Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０１５３】
［２−２１］情報、信号
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１５４】
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。また、コンポーネントキャリア（ＣＣ：Component Carrier）は、キャリア周波数、セル、周波数キャリアなどと呼ばれてもよい。
【０１５５】
［２−２２］システム、ネットワーク
本開示において使用する「システム」及び「ネットワーク」という用語は、互換的に使用される。
【０１５６】
［２−２３］パラメータ、チャネルの名称
また、本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。
【０１５７】
上述したパラメータに使用する名称はいかなる点においても限定的な名称ではない。さらに、これらのパラメータを使用する数式等は、本開示で明示的に開示したものと異なる場合もある。様々なチャネル（例えば、ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０１５８】
［２−２４］「判断」、「決定」
本開示で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking up、search、inquiry)（例えば、テーブル、データベース又は別のデータ構造での探索）、確認(ascertaining)した事を「判断」「決定」したとみなす事などを含み得る。
【０１５９】
また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。また、「判断（決定）」は、「想定する（assuming）」、「期待する（expecting）」、「みなす（considering）」などで読み替えられてもよい。
【０１６０】
［２−２５］「に基づいて」の意味
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１６１】
［２−２６］「異なる」
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０１６２】
［２−２７］「及び」、「又は」
本開示において、「Ａ及びＢ」でも「Ａ又はＢ」でも実施可能な構成については、一方の表現で記載された構成を、他方の表現で記載された構成として用いてもよい。例えば「Ａ及びＢ」と記載されている場合、他の記載との不整合が生じず実施可能であれば、「Ａ又はＢ」として用いてもよい。
【０１６３】
［２−２８］態様のバリエーション等
本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１６４】
以上、本開示について詳細に説明したが、当業者にとっては、本開示が本開示中に説明した実施形態に限定されるものではないということは明らかである。本開示は、請求の範囲の記載により定まる本開示の趣旨及び範囲を逸脱することなく修正及び変更態様として実施することができる。従って、本開示の記載は、例示説明を目的とするものであり、本開示に対して何ら制限的な意味を有するものではない。
【符号の説明】
【０１６５】
１…コンテンツ配信システム、３…第１配信システム、４…第２配信システム、１０…第１配信装置、２０…第２配信装置、３０…ユーザ端末、４０…コンテンツ提供装置、１０１…入力情報取得部、１０２…コンテンツ取得部、１０３…コンテンツ重畳部、１０４…入力情報絞込部、１０５…ユーザ属性記憶部、２０１…入力情報取得部、２０２…コンテンツ取得部、２０３…コンテンツ重畳部、２０４…入力情報絞込部、２０５…ユーザ属性記憶部、３０１…コンテンツ出力部、３０２…入力受付部、４０１…第１入力情報取得部、４０２…第２入力情報取得部、４０３…第１絞込部、４０４…第２絞込部、４０５…第１反映画像生成部、４０６…第２反映画像生成部、４０７…コンテンツ生成部、４０８…コンテンツ送信部、４０９…入力反映部。
【図１】
2020048071.tif 000003
【図２】
2020048071.tif 000004
【図３】
2020048071.tif 000005
【図４】
2020048071.tif 000006
【図５】
2020048071.tif 000007
【図６】
2020048071.tif 000008
【図７】
2020048071.tif 000009
【図８】
2020048071.tif 000010
【図９】
2020048071.tif 000011
【図１０】
2020048071.tif 000012
【図１１】
2020048071.tif 000013
【図１２】
2020048071.tif 000014
【図１３】
2020048071.tif 000015
【図１４】
2020048071.tif 000016
【図１５】
2020048071.tif 000017
【図１６】
2020048071.tif 000018
【図１７】
2020048071.tif 000019
【図１８】
2020048071.tif 000020
【図１９】
2020048071.tif 000021
【手続補正書】
【提出日】令和2年1月20日(2020.1.20)
【手続補正１】
【補正対象書類名】特許請求の範囲
【補正対象項目名】全文
【補正方法】変更
【補正の内容】
【特許請求の範囲】
【請求項１】
コンテンツの視聴者が入力した入力情報に対応付けられた内容を当該コンテンツに反映して各々について登録されたユーザに配信する第１システム及び第２システムのうちの前記第１システムにおける第１入力情報と、前記第２システムにおける第２入力情報とを取得する入力取得部と、
取得された前記第１入力情報に対応付けられた内容及び取得された前記第２入力情報に対応付けられた内容をいずれも共通の前記コンテンツに反映させる反映部と、
前記反映部により内容が反映された共通の前記コンテンツを前記第１及び第２システムに送信する送信部と
を備える情報処理装置。
【請求項２】
前記反映部は、第１条件を満たす前記第１入力情報と、当該第１条件に対応付けられた条件を第２条件として満たす前記第２入力情報とが取得され、且つ、前記コンテンツがキャラクタを含む場合に、当該キャラクタの同じ部分に当該第１入力情報に対応付けられた内容及び当該第２入力情報に対応付けられた内容を反映させる
請求項１に記載の情報処理装置。
【請求項３】
前記反映部は、前記第１システムに登録されたユーザについて取得された前記第１入力情報に対応付けられた内容を反映して前記コンテンツの第１部分を変化させ、前記第２システムに登録されたユーザについて取得された前記第２入力情報に対応付けられた内容を反映して当該コンテンツの前記第１部分とは異なる第２部分を変化させる
請求項１又は２に記載の情報処理装置。
【請求項４】
請求項１から３のいずれか１項に記載の情報処理装置と、
前記第１システムにおいてコンテンツを配信する第１配信装置であって、当該コンテンツの視聴者が入力した入力情報に対応付けられた内容を当該コンテンツに反映して配信する第１配信装置と
を備える情報処理システム。
【手続補正２】
【補正対象書類名】明細書
【補正対象項目名】０００５
【補正方法】変更
【補正の内容】
【０００５】
上記目的を達成するために、本発明は、コンテンツの視聴者が入力した入力情報に対応付けられた内容を当該コンテンツに反映して各々について登録されたユーザに配信する第１システム及び第２システムのうちの前記第１システムにおける第１入力情報と、前記第２システムにおける第２入力情報とを取得する入力取得部と、取得された前記第１入力情報に対応付けられた内容及び取得された前記第２入力情報に対応付けられた内容をいずれも共通の前記コンテンツに反映させる反映部と、前記反映部により内容が反映された共通の前記コンテンツを前記第１及び第２システムに送信する送信部とを備える情報処理装置を提供する。
【手続補正３】
【補正対象書類名】明細書
【補正対象項目名】０００６
【補正方法】変更
【補正の内容】
【０００６】
また、前記反映部は、第１条件を満たす前記第１入力情報と、当該第１条件に対応付けられた条件を第２条件として満たす前記第２入力情報とが取得され、且つ、前記コンテンツがキャラクタを含む場合に、当該キャラクタの同じ部分に当該第１入力情報に対応付けられた内容及び当該第２入力情報に対応付けられた内容を反映させてもよい。
【手続補正４】
【補正対象書類名】明細書
【補正対象項目名】０００７
【補正方法】変更
【補正の内容】
【０００７】
また、前記反映部は、前記第１システムに登録されたユーザについて取得された前記第１入力情報に対応付けられた内容を反映して前記コンテンツの第１部分を変化させ、前記第２システムに登録されたユーザについて取得された前記第２入力情報に対応付けられた内容を反映して当該コンテンツの前記第１部分とは異なる第２部分を変化させてもよい。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】